(57)【特許請求の範囲】
【請求項１】
太陽電池パネルと、
前記太陽電池パネルの周囲を囲むフレームと、を備えた太陽電池モジュールであって、
前記フレームは、対向配置された２つの第１フレームと、対向配置された２つの第２フレームと、を備え、
前記第１フレームと前記第２フレームとが交互に接続されて４つの角部を形成し、
前記第１フレームは、
前記太陽電池パネルの側面を保護する第１側壁部と、
前記第１側壁部から伸出し、前記太陽電池パネルの受光面を支持する第１上フランジと、を備え、
前記第２フレームは、
前記太陽電池パネルの側面を保護する第２側壁部と、
前記第２側壁部から伸出し、前記太陽電池パネルの受光面を支持する第２上フランジと、を備え、
前記第１フレームの長手方向において、前記第１側壁部と第１上フランジは同じ長さであり、
前記第２フレームの長手方向において、前記第２側壁部の前記第２上フランジ側が前記第２上フランジの略厚さ分切り欠かれ、前記第２上フランジの端部は、前記第２側壁部の端部から長手方向に、前記第１上フランジの幅に所定の長さを加算した分、内側に位置し、
前記所定の長さは２ｍｍ以上１０ｍｍ以下であり、
各々の前記角部において、隣接する前記第１フレームの前記第１上フランジと前記第２フレームの前記第２上フランジとの間に間隙が形成されていることを特徴とする太陽電池モジュール。
【請求項２】
前記太陽電池パネルの平面形状は矩形状であり、
前記第１フレームと前記第２フレームとが直角に接続されることを特徴とする請求項１記載の太陽電池モジュール。
【請求項３】
前記第１フレームは、
前記太陽電池パネルの裏面を支持する裏面フランジと、前記第１側壁部と、前記第１上フランジとにより形成された、前記太陽電池パネルが嵌め込まれる嵌合溝を備え、
前記嵌合溝の側面開口部を塞ぐ前記第２側壁部は、前記嵌合溝と外部とを繋ぐ貫通孔を有することを特徴とする請求項１又は２記載の太陽電池モジュール。
【請求項４】
前記太陽電池パネルの裏面と前記裏面フランジとの間に、緩衝材が介在していることを特徴とする請求項３記載の太陽電池モジュール。
【発明の詳細な説明】
【技術分野】
【０００１】
本発明は、太陽電池モジュールに関する。
【背景技術】
【０００２】
太陽電池モジュールは、一般に、太陽電池素子と表面保護材（カバーガラス等）とが積層された太陽電池パネルと、この太陽電池パネルの周端部を囲うフレーム（金属フレーム等）と呼ばれる枠材とで構成される。
【０００３】
フレームは、太陽電池パネルの受光面を支持する上フランジと、太陽電池パネルの裏面を支持する裏面フランジとを備えている。上フランジ及び裏面フランジは、フレームの側壁部から水平方向（太陽電池モジュールの内側方向）に伸出しており、この上フランジと裏面フランジとで太陽電池パネルが嵌め込まれる嵌合溝を形成している。
【０００４】
上フランジと裏面フランジとで形成する嵌合溝に太陽電池パネルが嵌め込まれて太陽電池モジュールが形成される。嵌合溝に太陽電池パネルが嵌め込まれると、太陽電池パネルの表面にフレームの上フランジが位置するため、上フランジの厚み分、太陽電池モジュールの周端部で数ｍｍ程度の段差（太陽電池パネル表面とフレーム表面との段差）が生じる。
【０００５】
ここで、太陽電池モジュールは屋外に設置されるため、上述した段差のために、雨水が太陽電池モジュールの表面に溜まる。この溜まった雨水が乾くと、雨水が溜まった箇所に汚れが残り、残った汚れが太陽電池モジュールに入射する太陽光を阻害し、太陽電池モジュールの発電効率を低下させることがある。
【０００６】
この問題を解決するために、溜まった雨水を排水するための排水溝をフレームの上フランジに設けることが提案されている（例えば、特許文献１参照）。
【先行技術文献】
【特許文献】
【０００７】
【特許文献１】特開２０１１−１１４２５７号公報
【発明の概要】
【発明が解決しようとする課題】
【０００８】
しかしながら、上記のようにフレームの上フランジに溝を設ける構成では、上フランジに溝を設ける加工が必要となり、加工工数が増加した分、フレームの製造コストが上昇するという問題がある。
【０００９】
本発明は、上記の点に鑑みてなされたものであり、フレームの製造コストの上昇を抑制しつつ、太陽電池モジュール表面に溜まる雨水を排水可能な太陽電池モジュールを提供することを課題とする。
【課題を解決するための手段】
【００１０】
本太陽電池モジュールは、太陽電池パネルと、前記太陽電池パネルの周囲を囲むフレームと、を備えた太陽電池モジュールであって、前記フレームは、対向配置された２つの第１フレームと、対向配置された２つの第２フレームと、を備え、前記第１フレームと前記第２フレームとが交互に接続されて４つの角部を形成し、前記第１フレームは、前記太陽電池パネルの側面を保護する第１側壁部と、前記第１側壁部から伸出し、前記太陽電池パネルの受光面を支持する第１上フランジと、を備え、前記第２フレームは、前記太陽電池パネルの側面を保護する第２側壁部と、前記第２側壁部から伸出し、前記太陽電池パネルの受光面を支持する第２上フランジと、を備え、前記第１フレームの長手方向において、前記第１側壁部と第１上フランジは同じ長さであり、前記第２フレームの長手方向において、前記第２側壁部の前記第２上フランジ側が前記第２上フランジの略厚さ分切り欠かれ、前記第２上フランジの端部は、前記第２側壁部の端部から長手方向に、前記第１上フランジの幅に所定の長さを加算した分、内側に位置し、前記所定の長さは２ｍｍ以上１０ｍｍ以下であり、各々の前記角部において、隣接する前記第１フレームの前記第１上フランジと前記第２フレームの前記第２上フランジとの間に間隙が形成されていることを要件とする。
【発明の効果】
【００１１】
開示の技術によれば、フレームの製造コストの上昇を抑制しつつ、太陽電池モジュール表面に溜まる雨水を排水可能な太陽電池モジュールを提供できる。
【図面の簡単な説明】
【００１２】
【図１】第１の実施の形態に係る太陽電池モジュールを例示する平面図である。
【図２】図１のＡ−Ａ線に沿う部分拡大断面図である。
【図３】第１の実施の形態に係る太陽電池モジュールの短辺フレームを例示する部分拡大斜視図である。
【図４】第１の実施の形態に係る太陽電池モジュールの長辺フレームを例示する部分拡大斜視図である。
【図５】図１のＢ部の部分拡大平面図である。
【図６】図１のＢ部の部分拡大斜視図である。
【図７】第２の実施の形態に係る太陽電池モジュールの長辺フレームを例示する部分拡大斜視図である。
【図８】第２の実施の形態に係る太陽電池モジュールの短辺フレームと長辺フレームとの接続部を例示する部分拡大斜視図である。
【図９】図８のＧ部の部分拡大正面図である。
【発明を実施するための形態】
【００１３】
以下、図面を参照して発明を実施するための形態について説明する。なお、各図面において、同一構成部分には同一符号を付し、重複した説明を省略する場合がある。
【００１４】
〈第１の実施の形態〉
図１は、第１の実施の形態に係る太陽電池モジュールを例示する平面図である。図２は、図１のＡ−Ａ線に沿う部分拡大断面図である。図３は、第１の実施の形態に係る太陽電池モジュールの短辺フレームを例示する部分拡大斜視図である。図４は、第１の実施の形態に係る太陽電池モジュールの長辺フレームを例示する部分拡大斜視図である。
【００１５】
図１〜図４を参照するに、太陽電池モジュール１０は、太陽電池パネル２０と、フレーム３０とを有する。
【００１６】
太陽電池パネル２０は、例えば、太陽電池素子が形成された基板の周囲を覆うようにＥＶＡ（Ethylene-vinyl acetate）等からなる封止材を設け、封止材の表面側（太陽電池素子側）に白板強化ガラス板等からなる保護部材を配置したものである。封止材の裏面側（保護部材とは反対側）に、アルミニウム箔やポリエチレンテレフタレート樹脂等からなる保護シートが設けられる場合もある。
【００１７】
太陽電池パネル２０の平面形状は、例えば、矩形状とすることができる。太陽電池パネル２０の平面形状は矩形状には限定されないが、以降では、太陽電池パネル２０の平面形状が矩形状である場合を例にして説明をする。なお、平面形状とは、太陽電池パネル２０の受光面の法線方向から対象物を視たときの形状を指すものとする。
【００１８】
フレーム３０は、太陽電池パネル２０の端部周囲を囲むように枠状に取り付けられている。フレーム３０は、太陽電池モジュール１０の強度を向上すると共に、太陽電池パネル２０の端部の受光面、側面、及び裏面を覆って太陽電池パネル２０の端部を保護する部材である。
【００１９】
フレーム３０は、太陽電池パネル２０を囲む、対向配置された２つの短辺フレーム４０と、対向配置された２つの長辺フレーム５０とを備えている。短辺フレーム４０と長辺フレーム５０とは互いに隣接して接続され、フレーム３０を構成する。平面形状が矩形状である太陽電池パネル２０の一辺を短辺フレーム４０が保護し、この一辺と直角をなす他辺を長辺フレーム５０が保護する。このとき、短辺フレーム４０と長辺フレーム５０とは直角に接続される。
【００２０】
短辺フレーム４０は、例えばアルミ鋼材や樹脂から形成され、押し出し成形等によって断面（ＹＺ断面）が略同形状とされた長尺部材である。短辺フレーム４０は、太陽電池パネル２０の受光面を支持する上フランジ４１と、太陽電池パネル２０の裏面を支持する裏面フランジ４２と、太陽電池パネル２０の側面を保護する側壁部４３とを有する。
【００２１】
上フランジ４１と裏面フランジ４２とは側壁部４３から水平方向（太陽電池モジュール１０の内側方向）に伸出し、太陽電池パネル２０が嵌め込まれる嵌合溝４０ｘを形成している。嵌合溝４０ｘには、太陽電池パネル２０の端部が嵌め込まれ、接着剤（図示省略）で短辺フレーム４０に接着されている。接着剤としては、例えば、ブチル系接着剤やシリコーン系接着剤等を用いることができる。
【００２２】
なお、本実施の形態に係る太陽電池モジュール１０においては、太陽電池パネル２０の裏面と裏面フランジ４２との間に、緩衝材６０が介在している。この緩衝材６０は、太陽電池パネル２０を裏面から押し上げる機能を有し、結果、太陽電池パネル２０の受光面と上フランジ４１との隙間をなくし、太陽電池パネル２０の受光面から嵌合溝４０ｘ内へのゴミや埃、雨水等の侵入を抑制する。緩衝材６０としては、例えば、発泡系樹脂や弾性を有する樹脂等を用いることができる。
【００２３】
又、側壁部４３の下端には底辺フランジ４４が水平方向に伸出している。更に、短辺フレーム４０は、長辺フレーム５０と接続するためのネジ穴４５及び４６を有している。なお、図２及び図３の例では、底辺フランジ４４が太陽電池モジュール１０の内側に水平方向に伸出しているが、底辺フランジ４４は太陽電池モジュール１０の外側に水平方向に伸出してもよい。
【００２４】
短辺フレーム４０の長手方向（Ｘ方向）において、上フランジ４１と側壁部４３とは同じ長さである。短辺フレーム４０の裏面フランジ４２には、長辺フレーム５０の裏面フランジ５２とぶつかり合う箇所に切り欠き４２ｘが設けられている。
【００２５】
長辺フレーム５０は、例えばアルミ鋼材や樹脂から形成され、押し出し成形等によって断面（ＸＺ断面）が略同形状とされた長尺部材である。長辺フレーム５０は、太陽電池パネル２０の受光面を支持する上フランジ５１と、太陽電池パネル２０の裏面を支持する裏面フランジ５２と、太陽電池パネル２０の側面を保護する側壁部５３とを有する。
【００２６】
上フランジ５１と裏面フランジ５２とは側壁部５３から水平方向（太陽電池モジュール１０の内側方向）に伸出し、太陽電池パネル２０が嵌め込まれる嵌合溝５０ｘを形成している。嵌合溝５０ｘには、太陽電池パネル２０の端部が嵌め込まれ、接着剤で長辺フレーム５０に接着されている。
【００２７】
又、側壁部５３の下端には底辺フランジ５４が水平方向に伸出している。更に、長辺フレーム５０は、短辺フレーム４０と接続するためのネジ穴５５及び５６を有している。なお、図４の例では、底辺フランジ５４が太陽電池モジュール１０の内側に水平方向に伸出しているが、底辺フランジ５４は太陽電池モジュール１０の外側に水平方向に伸出してもよい。
【００２８】
長辺フレーム５０の裏面フランジ５２及び底辺フランジ５４には、短辺フレーム４０の裏面フランジ４２及び底辺フランジ４４とぶつかり合う箇所に切り欠き５２ｘ及び５４ｘが設けられている。
【００２９】
長辺フレーム５０の上フランジ５１には、裏面フランジ５２及び底辺フランジ５４と同様に、短辺フレーム４０の上フランジ４１とぶつかり合う箇所に切り欠き５１ｘが設けられている。
【００３０】
切り欠き５１ｘを設ける理由は、短辺フレーム４０と長辺フレーム５０とを互いに接続するには、伸出した上フランジ同士がぶつからないよう、どちらか一方のフレームの上フランジを、他方の上フランジの幅に対応する長さ分だけ切り欠く必要があるからである。
【００３１】
従来の太陽電池モジュールのフレーム（排水溝を形成しないフレーム）においては、長辺フレーム５０の上フランジ５１の切り欠き５１ｘの長さＬ（Ｙ方向）が、短辺フレーム４０の上フランジ４１の幅Ｗ（Ｙ方向）と等しくなるように切り欠かれる。すなわち、従来の太陽電池モジュールのフレーム（排水溝を形成しないフレーム）においては、切り欠き５１ｘの長さＬ＝上フランジ４１の幅Ｗである。
【００３２】
これに対して、本実施の形態に係る太陽電池モジュール１０では、長辺フレーム５０の上フランジ５１の切り欠き５１ｘの長さＬを、短辺フレーム４０の上フランジ４１の幅Ｗに所定の長さＭをプラスした値にしている。すなわち、太陽電池モジュール１０においては、切り欠き５１ｘの長さＬ＝上フランジ４１の幅Ｗ＋所定の長さＭである。つまり、長辺フレーム５０の長手方向（Ｙ方向）において、上フランジ５１の端部は、側壁部５３の端部から長手方向（Ｙ方向）に、上フランジ４１の幅Ｗに所定の長さＭを加算した分、内側に位置している。
【００３３】
これにより、図５及び図６に示すように、短辺フレーム４０と長辺フレーム５０とを組み合わせたとき、長辺フレーム５０の上フランジ５１と短辺フレーム４０の上フランジ４１との間に、所定の長さＭ（Ｙ方向）の間隙７０が形成される。間隙７０は、短辺フレーム４０の上フランジ４１及び長辺フレーム５０の上フランジ５１に阻害されない排水経路となり、図５の矢印Ｆのように雨水が排水される。
【００３４】
ここで、図５は図１のＢ部の部分拡大平面図であり、図６は図１のＢ部の部分拡大斜視図である。但し、図５において、便宜上、太陽電池パネル２０を梨地模様で示している。又、図６において、太陽電池パネル２０の図示は省略されている。なお、図１のＣ部、Ｄ部及びＥ部にも、図５及び図６に示したＢ部と同様に、所定の長さＭ（Ｙ方向）の間隙７０が形成される。
【００３５】
間隙７０の所定の長さＭ（排水経路の幅）は、２〜６０ｍｍ程度とすることができ、２〜１０ｍｍ程度とすることが好ましい。２ｍｍ未満の場合は、雨水の表面張力により排水しきれないことがあり、一方、１０ｍｍより大きい場合は、短辺フレーム４０と長辺フレーム５０との接続の強度が弱くなることがあるためである。従って、フレームの強度と排水機能とのバランスによって、長さＭ（排水経路の幅）を決定することが好ましい。
【００３６】
このように、第１の実施の形態に係る太陽電池モジュール１０では、長辺フレーム５０の上フランジ５１を切り欠く際に、短辺フレーム４０の上フランジ４１の幅だけ切り欠くのではなく、上フランジ４１の幅にプラスして、所定の長さＭだけ長く切り欠いている。
【００３７】
こうすることにより、太陽電池パネル２０の周囲を囲むフレーム３０において、互いに接続する短辺フレーム４０の上フランジ４１と長辺フレーム５０の上フランジ５１との間には、所定の長さＭの間隙７０が形成される。この間隙７０は、太陽電池パネル２０の表面が露出した箇所となる。従来では、上フランジの厚みのために雨水が溜まっていたが、太陽電池モジュール１０では、太陽電池モジュール１０の表面に溜まる雨水は、上フランジ４１と上フランジ５１の隙間である間隙７０から太陽電池モジュール１０の側面を伝って排水されることになる。
【００３８】
又、太陽電池モジュール１０では、従来から互いに接続するために切り欠いていた長辺フレーム５０の上フランジ５１の切り欠き幅を、所定の長さＭだけ大き目に切り欠くだけである。言い換えるならば、排水の溝を新たにフレームに形成したのではない。そのため、フレームの加工工数は、従来技術（排水溝を形成しない太陽電池モジュール）のフレームの加工工数と変わらない。
【００３９】
従って、排水溝をフレームの上フランジに別途設ける加工工数が不要なため、従来の排水溝を形成する太陽電池モジュールよりも、太陽電池モジュール１０ではより簡便に排水溝を形成することが可能となる。すなわち、太陽電池モジュール１０では、フレームのコスト増加を抑制しつつ、太陽電池モジュール１０の表面に溜まる雨水を排水することが可能となる。
【００４０】
なお、太陽電池モジュール１０は、数度程度傾斜して設置されることが一般的である。太陽電池モジュール１０では、間隙７０が太陽電池モジュール１０の各角部近傍に設けられているので、傾斜の方向に依存せずに排水の効果が得られる。例えば、図１において、太陽電池モジュール１０がＸ方向に傾斜してもＹ方向に傾斜しても、排水の効果が得られる。
【００４１】
〈第２の実施の形態〉
第２の実施の形態では、長辺フレームの側壁部に排水孔を設ける例を示す。なお、第２の実施の形態において、既に説明した実施の形態と同一構成部についての説明は省略する場合がある。
【００４２】
図７は、第２の実施の形態に係る太陽電池モジュールの長辺フレームを例示する部分拡大斜視図である。図８は、第２の実施の形態に係る太陽電池モジュールの短辺フレームと長辺フレームとの接続部を例示する部分拡大斜視図である。図９は、図８のＧ部の部分拡大正面図である。
【００４３】
図７〜図９を参照するに、第２の実施の形態に係る太陽電池モジュールでは、長辺フレーム５０が長辺フレーム５０Ａに置換されている。長辺フレーム５０Ａの側壁部５３には切り欠き５３ｘが設けられている。長辺フレーム５０Ａの側壁部５３に切り欠き５３ｘを設ける意義について以下に説明する。
【００４４】
フレーム３０の嵌合溝４０ｘ及び５０ｘに太陽電池パネル２０を嵌め込む際には、嵌合溝４０ｘ及び５０ｘ内に接着剤（ブチル系接着剤やシリコーン系接着剤等）を注入し、その後、太陽電池パネル２０を嵌合溝４０ｘ及び５０ｘに嵌め込む。これは、太陽電池パネル２０がフレーム３０から外れることを防止するためである。
【００４５】
ここで、嵌合溝４０ｘ及び５０ｘへの接着剤の充填が不十分であった場合等、嵌合溝４０ｘ及び５０ｘにおいて、接着剤とフレーム３０との間に隙間が形成される場合がある。この隙間に水分侵入があると隙間に水分が長期間滞留して、接着剤や太陽電池パネル２０の端部を劣化させることがある。
【００４６】
又、図２に示したように、フレーム３０と太陽電池パネル２０とを嵌め込んだ後、短辺フレーム４０の裏面フランジ４２と太陽電池パネル２０の裏面とを接着剤により接着する場合もある。この場合は、嵌合溝４０ｘには接着剤が充填されないため、嵌合溝４０ｘにおいて太陽電池パネル２０と短辺フレーム４０との間に隙間が形成される。例えば、間隙７０を介して嵌合溝４０ｘ内に形成された隙間に水分が侵入することが考えられる。
【００４７】
なお、このような太陽電池パネル２０とフレーム３０との間に間隙が形成される太陽電池モジュールにおいては、太陽電池パネル２０の周端部に、断面略コの字状の保護部材を配置することが好ましい。保護部材の具体例としては、金属テープや絶縁樹脂テープ、更にはガスケットなど、耐湿性や絶縁性を考慮した素材で構成される。
【００４８】
この場合も上述したように、嵌合溝４０ｘ内に形成された間隙に水分侵入があると、長期間太陽電池パネル２０の端部が水分に接触した状態となり、結果、太陽電池パネル２０内部への水分侵入等の不具合が生じ得る。
【００４９】
そこで、第２の実施の形態に係る太陽電池モジュールでは、長辺フレーム５０Ａの側壁部５３に切り欠き５３ｘ（排水孔）を設けている。切り欠き５３ｘは、短辺フレーム４０と長辺フレーム５０Ａとが接続した際に、短辺フレーム４０の嵌合溝４０ｘに対応する長辺フレーム５０Ａの側壁部５３に設けている。
【００５０】
このため、切り欠き５３ｘと短辺フレーム４０とにより、嵌合溝４０ｘと太陽電池モジュールの外部とを繋ぐ貫通孔８０が形成される。つまり、嵌合溝４０ｘの側面開口部を塞ぐ側壁部５３は、嵌合溝４０ｘと外部とを繋ぐ貫通孔８０を有する。これにより、短辺フレーム４０の嵌合溝４０ｘ内に溜まった水分は、貫通孔８０を通して、太陽電池モジュールの外側に排水される。特に、間隙７０を設けたことで、嵌合溝４０ｘ内に形成された隙間に水分が侵入しやすくなった場合に、その水分を排水する手法として有効である。なお、貫通孔８０が形成されれば、切り欠き５３ｘは如何なる形状であっても構わない。
【００５１】
このように、第２の実施の形態に係る太陽電池モジュールでは、長辺フレーム５０Ａの側壁部５３に切り欠き５３ｘを設け、嵌合溝４０ｘと太陽電池モジュールの外部とを繋ぐ貫通孔８０を形成している。その結果、嵌合溝４０ｘ内に水分が侵入しても貫通孔８０を通して太陽電池モジュールの外側に排水することができる。その他の効果については、第１の実施の形態と同様である。
【００５２】
以上、好ましい実施の形態について詳説したが、上述した実施の形態に制限されることはなく、特許請求の範囲に記載された範囲を逸脱することなく、上述した実施の形態に種々の変形及び置換を加えることができる。
【００５３】
例えば、上記の実施の形態においては、長辺フレームの上フランジに、間隙（排水溝）を形成するために所定の長さをプラスした切り欠きを設けた。しかし、これに代えて、短辺フレームの上フランジに、長辺フレームの幅に所定の長さ（排水溝の幅に相当する長さ）をプラスした切り欠きを設けてもよい。
【００５４】
又、短辺フレームと長辺フレームとは、互いにネジ留めされて接続される構成であったが、これに限らず、ネジに代わりリベット等の機械的締結具を用いて接続してもよい。或いは、短辺フレームと長辺フレームの高さ方向の位置をずらし、互いが重なりあった箇所をネジやリベット等の機械的締結具を用いて接続してもよく、更には、機械的締結具以外の接着剤等で接着する方法で接続してもよい。
【００５５】
又、本実施の形態では、長辺フレームと短辺フレームの両方に裏面フランジを備える構成であったが、どちらか一方のみに裏面フランジを設ける構成であってもよい。
【００５６】
又、太陽電池パネルと嵌合溝との隙間が大きく、太陽電池パネルが嵌合溝内で上下方向（図２等のＺ方向）に可動する場合でも、太陽電池パネルの表面と上フランジとの間に部分的に緩衝部材を挿入して、太陽電池パネルの嵌合溝内での動きを制限することで、本発明は適用可能である。或いは、緩衝部材を挿入する代わりに、上フランジの太陽電池パネルの表面側に部分的に突起を形成して、太陽電池パネルの嵌合溝内での動きを制限してもよい。
【符号の説明】
【００５７】
１０  太陽電池モジュール
２０  太陽電池パネル
３０  フレーム
４０  短辺フレーム
４０ｘ、５０ｘ  嵌合溝
４１、５１  上フランジ
４２、５２  裏面フランジ
４２ｘ、５１ｘ、５２ｘ、５３ｘ、５４ｘ  切り欠き
４３、５３  側壁部
４４、５４  底辺フランジ
４５、４６、５５、５６  ネジ穴
５０、５０Ａ  長辺フレーム
６０  緩衝材
７０  間隙
８０  貫通孔
【図１】
0006505404.tif 000002
【図２】
0006505404.tif 000003
【図３】
0006505404.tif 000004
【図４】
0006505404.tif 000005
【図５】
0006505404.tif 000006
【図６】
0006505404.tif 000007
【図７】
0006505404.tif 000008
【図８】
0006505404.tif 000009
【図９】
0006505404.tif 000010